(57)【要約】【課題】低域の音響特性を改善すること。【解決手段】本体筐体１０の内部にスピーカ５０を備えた電子機器において、本体筐体１０の内部に収容された内蔵バッテリ４０と本体筐体１０の周壁１７とによって囲まれるデッドスペースＣにスピーカ５０を配設するとともに、デッドスペースＣをスピーカ５０のバックチャンバとして機能させるようにしている。【選択図】図３
2018121175.tif 000002
【特許請求の範囲】
【請求項１】
筐体の内部にスピーカを備えた電子機器において、
前記筐体の内部に収容された電子部品と前記筐体の周壁とによって囲まれるデッドスペースに前記スピーカを配設するとともに、前記デッドスペースを前記スピーカのバックチャンバとして機能させることを特徴とする電子機器。
【請求項２】
前記筐体は、前方部上面にパームレストが確保され、かつ前記パームレストよりも後方側となる上面にキーボードを備えたものであり、
前記筐体の内部には、前記パームレストと前記キーボードとの間に対応する部位に壁部が設けられ、前記壁部よりも前方となる前方空間に内蔵バッテリが収容されており、
前記筐体の前方及び側方に位置する周壁と前記内蔵バッテリとの間に前記デッドスペースが構成されていることを特徴とする請求項１に記載の電子機器。
【請求項３】
前記筐体は、下方筐体部分と上方筐体部分とを備えて構成され、前記下方筐体部分に放音孔を有する一方、前記上方筐体部分にスピーカ支持部を有し、
前記スピーカは、振動板の外周がハウジングによって支持されたものであり、前記振動板が前記放音孔に対向し、かつ前記スピーカ支持部との間に防振部材を介在させた状態で前記ハウジングを介して前記スピーカ支持部に支持されており、
前記防振部材及び前記スピーカ支持部には、前記ハウジングを取り囲む空間と前記デッドスペースとの間を連通する連通部が設けられていることを特徴とする請求項１に記載の電子機器。
【発明の詳細な説明】
【技術分野】
【０００１】
本発明は、電子機器に関するものである。
【背景技術】
【０００２】
電子機器には、筐体の内部にスピーカボックスを設けることにより、最低共振周波数の改善を図るようにしたものが提供されている。こうした電子機器によれば、口径の小さいスピーカを適用した場合にも、スピーカボックス内の空間がバックチャンバとなって低域の音響特性が向上され、人の声や楽器の演奏が聞き取りやすくなる（例えば、特許文献１参照）。
【先行技術文献】
【特許文献】
【０００３】
【特許文献１】特開２００６−１８６１５３号公報
【発明の概要】
【発明が解決しようとする課題】
【０００４】
しかしながら、携帯性が考慮されるノート型パーソナルコンピュータやタブレット等の電子機器においては、より小型化、薄型化の傾向にあり、筐体の内部にスピーカボックスを収容することが難しい。さらに、スピーカの口径そのものも小型化される傾向にあり、例えば人の声が聞きにくい、特定の楽器の音が再現できない等の問題を招来するおそれがある。
【０００５】
本発明は、上記実情に鑑みて、低域の音響特性を改善することのできる電子機器を提供することを目的とする。
【課題を解決するための手段】
【０００６】
上記目的を達成するため、本発明に係る電子機器は、筐体の内部にスピーカを備えた電子機器において、前記筐体の内部に収容された電子部品と前記筐体の周壁とによって囲まれるデッドスペースに前記スピーカを配設するとともに、前記デッドスペースを前記スピーカのバックチャンバとして機能させることを特徴とする。
【０００７】
また、本発明は、上述した電子機器において、前記筐体は、前方部上面にパームレストが確保され、かつ前記パームレストよりも後方側となる上面にキーボードを備えたものであり、前記筐体の内部には、前記パームレストと前記キーボードとの間に対応する部位に壁部が設けられ、前記壁部よりも前方となる前方空間に内蔵バッテリが収容されており、前記筐体の前方及び側方に位置する周壁と前記内蔵バッテリとの間に前記デッドスペースが構成されていることを特徴とする。
【０００８】
また、本発明は、上述した電子機器において、前記筐体は、下方筐体部分と上方筐体部分とを備えて構成され、前記下方筐体部分に放音孔を有する一方、前記上方筐体部分にスピーカ支持部を有し、前記スピーカは、振動板の外周がハウジングによって支持されたものであり、前記振動板が前記放音孔に対向し、かつ前記スピーカ支持部との間に防振部材を介在させた状態で前記ハウジングを介して前記スピーカ支持部に支持されており、前記防振部材及び前記スピーカ支持部には、前記ハウジングを取り囲む空間と前記デッドスペースとの間を連通する連通部が設けられていることを特徴とする。
【発明の効果】
【０００９】
本発明に係る電子機器によれば、筐体の内部に収容された電子部品と筐体の周壁とによって囲まれるデッドスペースをバックチャンバとして機能させるようにしているため、スピーカボックスを設けることなく低域の音響特性を改善することができるようになる。
【図面の簡単な説明】
【００１０】
【図１】図１は、本発明の実施の形態である電子機器の外観を示す斜視図である。
【図２】図２は、図１に示した電子機器を下方から見た要部分解斜視図である。
【図３】図３は、図１に示した電子機器の筐体内部を概念的に示す底面図である。
【図４】図４は、図１に示した電子機器においてスピーカを取り付けた部分の拡大断面図である。
【図５】図５は、図１に示した電子機器に適用するスピーカ及び防振部材を示す分解斜視図である。
【発明を実施するための形態】
【００１１】
以下、添付図面を参照しながら本発明に係る電子機器の好適な実施の形態について詳細に説明する。
【００１２】
図１及び図２は、本発明の実施の形態である電子機器を示したものである。ここで例示する電子機器は、本体筐体１０と、表示装置２０との間を左右２つのヒンジ装置３０により互いに開閉可能に接続することによって構成されたものである。本実施の形態では特に、表示装置２０が本体筐体１０の上面を覆った状態から３６０°回転できるように構成されたコンバーチブル型と称されるパーソナルコンピュータ（以下、ＰＣという）を例示している。すなわち、このＰＣでは、図示するように、本体筐体１０に対して表示装置２０を９０°程度開くことによりノート型ＰＣとして使用することができる。さらに、図には示していないが、３６０°まで開いて表示装置２０を本体筐体１０の下面に重ね合わせれば、タブレット型ＰＣとしても使用することが可能である。なお、本実施の形態の説明においては便宜上、図１に示した使用状態において電子機器の上下左右及び前後の方向を特定することとする。
【００１３】
本体筐体１０は、上方筐体部分１０Ａと下方筐体部分１０Ｂとを備えて構成された厚さ寸法の小さい矩形状を成すもので、上方筐体部分１０Ａの上面に入力部としてキーボード１１及びタッチパッド１２を備えている。図からも明らかなように、上方筐体部分１０Ａの上面には、前方側にパームレスト１３となる領域が確保してあり、その後方側となる部分に設けた凹部１４にキーボード１１が配設してある。タッチパッド１２は、パームレスト１３の中央となる部分に設けてある。
【００１４】
この本体筐体１０の内部には、キーボード１１とパームレスト１３との間に対応する部位に左右方向に沿って延在する壁部１５が設けられている。壁部１５は、上方筐体部分１０Ａの上面にキーボード１１を収容するための凹部１４を設けることにより、本体筐体１０の内部に突出するように延在する部分であり、本体筐体１０の内部において前方部となる部位に後方部よりも上下寸法の大きな前方空間１６を構成している。すなわち、前方空間１６は、本体筐体１０の前方及び両側方に位置する周壁１７と壁部１５との間に構成された直方体状の空間である。上方筐体部分１０Ａにおいて前方空間１６の両隅となる部分には、それぞれボス部１８が設けてある。ボス部１８は、上方筐体部分１０Ａと下方筐体部分１０Ｂとを接合した状態に維持するネジＳが螺合される円柱状部分であり、上方筐体部分１０Ａの内表面から下方に向けて突出している。
【００１５】
この前方空間１６には、内蔵バッテリ４０が配設してある。内蔵バッテリ４０は、ＰＣを動作させる場合に電源となる電子部品であり、中央部分に比べて両側部分の前後に沿った寸法が小さく、中央部分が前方に向けて矩形状に突出したような異形の外形形状を有している。この内蔵バッテリ４０の左右に沿った寸法ｄ１は、ボス部１８に干渉することなくボス部１８の相互間に配置することができるように設定してある。内蔵バッテリ４０の両側部分についても、ボス部１８に干渉することなくボス部１８と壁部１５との間に配置することができるようにそれぞれの前後に沿った寸法ｄ２が設定してある。すなわち、本実施の形態においては、前方空間１６に内蔵バッテリ４０を配置した場合、図３に示すように、内蔵バッテリ４０の両側部分と本体筐体１０の前方及び側方に位置する周壁１７との間に、それぞれ屈曲状のデッドスペースＣが２つ構成されることになる。
【００１６】
さらに、前方空間１６には、上述のデッドスペースＣにおいて内蔵バッテリ４０の両側部分よりも前方となる部位にそれぞれスピーカ５０が配設してある。スピーカ５０は、振動板５１の外周がハウジング５２によって支持されたもので、振動板５１が下方筐体部分１０Ｂの放音孔１９に対向した状態で防振部材６０を介して上方筐体部分１０Ａのスピーカ支持部７０に保持させてある。本実施の形態では、長辺が１６ｍｍ、短辺が８ｍｍ程度の楕円形状を成す小口径の振動板５１を適用し、最低共振周波数ｆ０＝８００Ｈｚのスピーカ５０を適用している。
【００１７】
スピーカ５０のハウジング５２は、図示せぬボイスコイルやマグネット等の駆動部を収容するハウジング本体５２ａと、ハウジング本体５２ａの一端から周方向に突出し、振動板５１の外周を支持するフランジ部５２ｂとを有したものである。フランジ部５２ｂの裏面からは、スピーカケーブル５３が延出している。
【００１８】
防振部材６０は、図４及び図５に示すように、ゴム等の弾性を有した部材によって成形したものである。本実施の形態では、フランジ部５２ｂの全周を覆うフランジカバー部６０ａと、ハウジング本体５２ａを覆う本体カバー部６０ｂとを一体に成形した防振部材６０を適用している。フランジカバー部６０ａについては、ハウジング５２のフランジ部５２ｂに接触した状態でこれを覆うように構成してある。これに対して本体カバー部６０ｂは、ハウジング本体５２ａの周囲に接触する一方、ハウジング本体５２ａの端面との間に隙間Ｄを確保した状態でハウジング本体５２ａを覆うように構成したものである。この本体カバー部６０ｂには、両端部に開口部（連通部）６０ｃが設けてある。この開口部６０ｃは、ハウジング本体５２ａの端面と、本体カバー部６０ｂとの間に確保した隙間Ｄを外部に連通させる通路となる。
【００１９】
スピーカ支持部７０は、防振部材６０とともにスピーカ５０のフランジ部５２ｂを挿入した状態で収容するもので、上方筐体部分１０Ａの内表面から突出した略矩形の筒状に構成してある。図からも明らかなように、このスピーカ支持部７０には、防振部材６０の開口部６０ｃに対応する部位にそれぞれ切欠７１が設けてある。
【００２０】
なお、図には明示していないが、本体筐体１０の内部には、回路基板、演算装置及びメモリといった、ＰＣにおいて必須となる各種主要電子部品が収容されている。
【００２１】
上記のように構成した電子機器では、スピーカ５０のハウジング５２と防振部材６０との間に確保した隙間Ｄが防振部材６０の開口部６０ｃ及びスピーカ支持部７０の切欠７１を通じて本体筐体１０のデッドスペースＣに連通した状態となる。従って、スピーカ５０を駆動した場合には、デッドスペースＣがバックチャンバとして機能することになり、低域の音響特性が改善されることになる。これにより、ｆ０＝８００Ｈｚ程度の小口径のスピーカ５０を適用した場合にも、４ｃｃ程度のデッドスペースＣがあれば、５００Ｈｚ前後の音が再現できるようになり、例えば人の声が聞き易くなったり、すべての楽器の音が再現できる等々の作用効果を期待することが可能となる。
【００２２】
なお、上述した実施の形態では、表示装置２０が本体筐体１０に対して３６０°回転することのできるコンバーチブル型のＰＣを例示しているが、本発明はこれに限定されず、表示装置が本体筐体に対して１８０°程度までしか回転しない一般的なノート型ＰＣや携帯電話、あるいは表示装置のみを備えて構成されたスマートフォンや電子手帳等々、筐体の内部にスピーカを備えたものであれば、その他のものにも適用可能である。
【００２３】
また、上述した実施の形態では、内蔵バッテリ４０と本体筐体１０の周壁１７との間のデッドスペースＣにスピーカ５０を配設するようにしているが、必ずしも内蔵バッテリとの間のデッドスペースに限らない。さらに、スピーカ５０の数についても２つに限らない。また、スピーカ５０の取付態様についても上方筐体部分１０Ａに保持させる必要はなく、振動板５１が下向きである必要もない。なお、実施の形態においては、スピーカ５０の具体的な寸法や形状について記載しているが、これらの記載はあくまでも例示のためであって、本発明がこれらの記載に限定されることはない。
【符号の説明】
【００２４】
１０      本体筐体
１０Ａ      上方筐体部分
１０Ｂ      下方筐体部分
１１      キーボード
１３      パームレスト
１５      壁部
１６      前方空間
１７      周壁
１９      放音孔
４０      内蔵バッテリ
５０      スピーカ
５１      振動板
５２      ハウジング
６０      防振部材
６０ｃ      開口部
７０      スピーカ支持部
７１      切欠
Ｃ      デッドスペース
Ｄ      隙間
【図１】
2018121175.tif 000003
【図２】
2018121175.tif 000004
【図３】
2018121175.tif 000005
【図４】
2018121175.tif 000006
【図５】
2018121175.tif 000007